(57)【要約】【課題】本発明は宇宙位置確認認識装置と宇宙空間中継の電波望遠鏡中継放送システムをロボットロケットに積載した光の届かない場所でも、作動出来る軽水素イオン磁気電気体循環発電池等の開発は、進んでも肝心の太陽系軌道を抜け出る回転追加加速型エンジンロケットが無かった。【解決手段】本発明は、水素タンクの水素を窒素ガス入り重水素のスクリュー回転力で軽水素入り水素タンクの水素を高速スクリュー回転させて液体酸素タンクの酸素を高出力モーター板に依って、高速スクリュー回転指せた水素と酸素を一気に加速そして、回転追加加速燃焼タンクを積載した回転追加加速型ロボット電波望遠鏡ロケット開発の時間の経緯の構造説明。【選択図】   図１
2020189630.tif 000002
【特許請求の範囲】
【請求項１】
太陽系を抜け出て遥か彼方の星々を映し続ける電波望遠鏡中継放送システムの、回転追加加速型ロボット電波望遠鏡ロケットは、高出力自動充電池を電源として、加速モーター板パネルを 、第一液体軽水素入り水素流動放出加速装置タンクと第一液体酸素流動放出加速装置タンクと第二液体軽水素入り水素流動放出加速装置タンクと第二液体酸素流動放出加速装置タンクと第三液体軽水素入り水素流動放出加速装置タンクと第三液体酸素流動放出加速装置タンクの水素と酸素を、重水素入り圧電素子配線水素タンク内壁とスクリュー重水素入り圧電素子配線水素タンク内壁の底にスクリュー圧電素子配線液体酸素タンク内壁から成る軽量アルミニウム外壁構造の圧電素子配線液体酸素タンク内壁の底に低温水素一度温度センサーと低温酸素一度温度センサーをタンク底壁に其々取り付けた構造のタンク内の水素と酸素を高出力圧電素子六角形状発電回路レールモーター付の加速モーター板パネルに依って、窒素化合重水素を高速回転させて、液体軽水素入り水素タンクの水素をスクリュー回転力で押し出す構造と同時の液体酸素スクリュー回転に依る水素と酸素の点火に依る加速水素酸素燃焼回転追加加速型ロボット電波望遠鏡ロケット。
【請求項２】
太陽系を抜け出て遥か彼方の星々を映し続ける電波望遠鏡中継放送システムの、回転追加加速型ロボット電波望遠鏡ロケットの回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線。
【請求項３】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、低周波データ電波使った電気電子デジタル波を使った太陽系を抜け出て遥か彼方の星々を映し続ける電波望遠鏡中継放送システム回路の電気デジタル信号波と異なる弱電気低周波のデジタル波を使ったロボット電波望遠鏡ロケット回路。
【請求項４】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのノーマル波回路に対して超微量電気を通す電気抵抗を最小限の電気を、回路に通して、高周波データ電波使った電気電子ノーマル波を使った太陽系を抜け出て遥か彼方の星々を映し続ける電波望遠鏡中継放送システム回路の電気デジタル信号波と異なる弱電気高周波のノーマル波を使ったロボット電波望遠鏡ロケット回路。
【請求項５】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、中波データ電波使った電気電子デジタル変換波を使った太陽系を抜け出て遥か彼方の星々を映し続ける電波望遠鏡中継放送システム回路の電気デジタル信号波と異なる弱電気中波のデジタル変換波を使ったロボット電波望遠鏡ロケット回路。
【請求項６】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、衛星波データ電波使った電気電子デジタル変換波を使った太陽系を抜け出て遥か彼方の星々を映し続ける電波望遠鏡中継放送システム回路の電気デジタル信号波と異なる弱電気衛星波のデジタル変換波を使ったロボット電波望遠鏡ロケット回路。
【請求項７】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、山岳ヘリコプター波データ電波使った電気電子デジタル変換波を使った太陽系を抜け出て遥か彼方の星々を映し続ける電波望遠鏡中継放送システム回路の電気デジタル信号波と異なる弱電気山岳ヘリコプター波のデジタル変換波を使ったロボット電波望遠鏡ロケット回路。
【請求項８】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、衛星ロボット波データ電波使った電気電子デジタル変換波を使った太陽系を抜け出て遥か彼方の星々を映し続ける電波望遠鏡中継放送システム回路の電気デジタル信号波と異なる弱電気衛星ロボット波のデジタル変換波を使ったロボット電波望遠鏡ロケット回路。
【請求項９】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、山岳ヘリコプター波データ電波使った電気電子デジタル変換波を使った太陽系を抜け出て遥か彼方の星々を映し続ける電波望遠鏡中継放送システム回路の電気デジタル信号波と異なる弱電気山岳ヘリコプター波のデジタル変換波を使ったロボット電波望遠鏡ロケット回路。
【請求項１０】
太陽系を抜け出て遥か彼方の星々を映し続ける電波望遠鏡中継放送システムの、回転追加加速型ロボット電波望遠鏡ロケットは、回路基板の０，００３ミリメートルのレアーアース回路配線構造の有り方は、予め０，００３の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００３の回路基板配線の細さに擦る技術の回路基板レアーアース回路配線に対して、電気データのみを、通す今までのデジタル波回路に対して超微量電気を通す電気抵抗を最小限の電気を、回路に通して、複数十字スクリューロボットデータ波使った電気電子デジタル変換波を使った太陽系を抜け出て遥か彼方の星々を映し続ける電波望遠鏡中継放送システム回路の電気デジタル信号波と異なる複数十字スクリューロボットデータ波のデジタル変換波を使ったロボット電波望遠鏡ロケット回路。
【請求項１１】
太陽系を抜け出て遥か彼方の星々を映し続ける電波望遠鏡中継放送システムの、回転追加加速型ロボット電波望遠鏡ロケットは、第一液体軽水素入り水素流動放出加速装置と第一液体酸素流動放出加速装置と第二液体軽水素入り水素流動放出加速装置と第二液体酸素流動放出加速装置と第三液体軽水素入り水素流動放出加速装置と第三液体酸素流動放出加速装置のタンクの内壁に対しての加速スクリュー溝形状のタンク内壁構造の太陽系を抜け出て遥か彼方の星々を映し続ける電波望遠鏡中継放送システムロケットで有り、予備燃料積載の太陽系を抜け出て遥か彼方の星々を映し続ける電波望遠鏡中継放送システムの、回転追加加速型ロボット電波望遠鏡ロケット。
【請求項１２】
太陽系を抜け出て遥か彼方の星々を映し続ける電波望遠鏡中継放送システムの、回転追加加速型ロボット電波望遠鏡ロケットの液体軽水素化合物水素タンクとは、水素タンクの液体水素に対して、軽水素ガスつまり、液体軽水素を追加した液体軽水素内蔵の液体水素燃料を積載した太陽系を抜け出て遥か彼方の星々を映し続ける電波望遠鏡中継放送システムの、回転追加加速型ロボット電波望遠鏡ロケットの液体軽水素化合物水素タンクに積載する液体軽水素内蔵の液体水素燃料。
【請求項１３】
太陽系を抜け出て遥か彼方の星々を映し続ける電波望遠鏡中継放送システムの、回転追加加速型ロボット電波望遠鏡ロケットの、電波望遠鏡高速送受信装置の通常電波望遠鏡コイルを、軽水素ガス入り圧電素子磁石体粒子入りの銅筒菅軽水素ガス入り圧電素子磁石体粒子入りの電気抵抗ゼロコイルを積載した電波望遠鏡中継放送システムの、回転追加加速型ロボット電波望遠鏡ロケットの電波望遠鏡高速送受信装置。
【請求項１４】
太陽系を抜け出て遥か彼方の星々を映し続ける電波望遠鏡中継放送システムの、回転追加加速型ロボット電波望遠鏡ロケットの電波望遠鏡のレンズは、通常レンズ中の炭素を全て取り除いた炭素抜き収束レンズと炭素抜き対物レンズと炭素抜き投影レンズを、積載した電波望遠鏡中継放送システムの、回転追加加速型ロボット電波望遠鏡ロケット。
【請求項１５】
太陽系を抜け出て遥か彼方の星々を映し続ける電波望遠鏡中継放送システムの、回転追加加速型ロボット電波望遠鏡ロケットの合成ジエリアクリル光電子色認識装置パネルは、海の大型クラゲを水洗いして、撹拌した物とアクリルとビニールを合成した代替えシリコンと圧電素子磁石体粒子入りカラー素子入り合成ジエリアクリルのカラー素子チップを積載内蔵した合成ジエリアクリル光電子色認識装置パネル。
【請求項１６】
太陽系を抜け出て遥か彼方の星々を映し続ける電波望遠鏡中継放送システムの、回転追加加速型ロボット電波望遠鏡ロケットのロボットロケット合成ジエリアクリル光電子画像宇宙電波中継発射装置の太陽系外の暗いカメラ確認出来ない星々を、カメラ撮影出来る電波望遠鏡ロケットの合成ジエリアクリル光電子色認識装置パネルは、海の大型クラゲを水洗いして、撹拌した物とアクリルとビニールを合成した代替えシリコンと圧電素子磁石体粒子入りカラー素子入り合成ジエリアクリルのカラー素子チップを積載内蔵した合成ジエリアクリル光電子色認識装置パネルを使った太陽系内なら、冥王星衛星ロボット電波望遠鏡電波中継衛星と土星衛星ロボット電波望遠鏡電波中継衛星等を、使った太陽系全体を映し出す別の太陽系を抜け出て遥か彼方の星々を映し続ける電波望遠鏡中継しながら放送擦る電波を、何度も中継しながら放送するシステム。
【請求項１７】
太陽系を抜け出て遥か彼方の星々を映し続ける電波望遠鏡中継放送システムの、回転追加加速型ロボット電波望遠鏡ロケットの軽量アルミニウム外壁は、アルミニウムの溶解時に発生する上澄みアルミニウムだけを、集めた軽量アルミニウムシート外壁に成り、内側に竹灰入り発砲シートそして、竹灰入り樹脂シートの三層構造のロケット外壁構造の太陽系を抜け出て遥か彼方の星々を映し続ける電波望遠鏡中継放送システム。
【請求項１８】
太陽系を抜け出て遥か彼方の星々を映し続ける電波望遠鏡中継放送システムの、回転追加加速型ロボット電波望遠鏡ロケットの重水素入り圧電素子配線水素タンク内壁は、軽量アルミニウムシート外壁に成り、内側に竹灰入り発砲シートそして、竹灰入り樹脂シートの三層構造の内壁内にプルトニウム重水素入り圧電素子磁石体粒子入りの磁気配線をアルミニウムシートに貼り付けた水素タンク内壁構造の重水素入り圧電素子配線水素タンク内壁。
【請求項１９】
太陽系を抜け出て遥か彼方の星々を映し続ける電波望遠鏡中継放送システムの、回転追加加速型ロボット電波望遠鏡ロケットの低温酸素一度温度センサーは、塩酸入り水銀を使用した低温酸素一度温度センサー。
【請求項２０】
太陽系を抜け出て遥か彼方の星々を映し続ける電波望遠鏡中継放送システムの、回転追加加速型ロボット電波望遠鏡ロケットの電源は高出力自動充電池の高出力発電回路入りの高出力圧電素子電磁誘導発生電気を高出力発電回路に依って、増幅発電出来る発電装置の高出力自動充電池積載の回転追加加速型ロボット電波望遠鏡ロケット。
【請求項２１】
太陽系を抜け出て遥か彼方の星々を映し続ける電波望遠鏡中継放送システムの、回転追加加速型ロボット電波望遠鏡ロケットの高出力圧電素子六角形状発電回路レールモーターは、高出力圧電素子レールモーターの改良型のレールモーターの四角形圧電素子磁石体を、六角形状の軽水素圧電素子磁石体に形状を変えたコイル無しの高出力圧電素子六角形状発電回路レールモーター。
【請求項２２】
太陽系を抜け出て遥か彼方の星々を映し続ける電波望遠鏡中継放送システムの、回転追加加速型ロボット電波望遠鏡ロケットの高出力電動モーター仕切り弁二ヶ所装置は、ロケットの軽水素入りの水素タンクの軽水素入りの水素の回転速度を、上げる為の回転追加加速型ロボット電波望遠鏡ロケットの複数穴あき銅筒官の軽水素入り圧電素子磁石体粒子入りの高出力コイル内蔵の高出力電動モーター仕切り弁二ヶ所装置に成る。
【請求項２３】
太陽系を抜け出て遥か彼方の星々を映し続ける電波望遠鏡中継放送システムの、回転追加加速型ロボット電波望遠鏡ロケットの加速スクリュー配管とは、軽水素ガス入り液体水素タンク内の軽水素ガス入り液体水素のタンク内回転速度を上げ加速スクリュー配管に軽水素ガス入り液体水素を通す事で、今までの水素モーターポンプで送るスピード依り速くなる技術に成り、液体酸素タンクに於いても、液体酸素タンク内の回転速度を上げる事と同時に液体酸素タンクスクリュー管に依って、酸素放出速度を更に上げる為に、軽水素ガス入り液体水素タンクスクリュー配管出口と液体酸素タンクスクリュー官出口に高出力モーターを取り付ける事で、最初の数秒の放出補助を行う事データンク内液体燃料回転とスクリュー配管回転増幅に依る燃料燃焼加速を増す為の回転追加加速型ロボット電波望遠鏡ロケット。
【請求項２４】
太陽系を抜け出て遥か彼方の星々を映し続ける電波望遠鏡中継放送システムの、回転追加加速型ロボット電波望遠鏡ロケットの流量調整電動仕切り弁装置は、燃料噴射口手前に固定に成る装置に成り、高出力コイル無しモーター電動仕切弁装置に成る。
【請求項２５】
太陽系を抜け出て遥か彼方の星々を映し続ける電波望遠鏡中継放送システムの、回転追加加速型ロボット電波望遠鏡ロケットのスクリュー羽根巻き込み型液体水素液体酸素タンクポンプ装置は、液体軽水素入り水素タンクと液体酸素タンク其々に取り付く高出力六角形状圧電素子発電回路レールモーターは、液体酸素タンク内及び液体軽水素入り水素タンク内の液体酸素高速回転と液体軽水素入り水素高速回転させる為のスクリュー羽根巻き込み型液体軽水素入り水素と液体酸素タンクポンプ装置を回転させる為の高出力六角形状圧電素子発電回路レールモーターに成る。
【請求項２６】
太陽系を抜け出て遥か彼方の星々を映し続ける電波望遠鏡中継放送システムの、回転追加加速型ロボット電波望遠鏡ロケットの加速スクリュー配管は、液体軽水素入り水素タンクと液体酸素タンク其々に取り付くタンク内加速の液体軽水素入り水素タンクの液体合成発火力水素と液体酸素の液体酸素タンク其々の加速液体合成発火力水素と加速液体酸素の酸素を更に加速させる為の加速スクリュー配管に成る。
【請求項２７】
太陽系を抜け出て遥か彼方の星々を映し続ける電波望遠鏡中継放送システムの、回転追加加速型ロボット電波望遠鏡ロケットの液体水素酸素合流室から噴射口そして、モーターカートリッジ着火装置網目ガソリンいりビニールゴムに着火するカートリッジ交換型に成り、高出力電動仕切弁内で、液体酸素と軽水素酸素水が着火すると同時に液体酸素と軽水素入り水素が送られて着火燃料化合噴射擦る装置説明に成る。
【請求項２８】
太陽系を抜け出て遥か彼方の星々を映し続ける電波望遠鏡中継放送システムの、回転追加加速型ロボット電波望遠鏡ロケットの高電圧変換装置は、電波望遠鏡中継放送システムの、回転追加加速型ロボット電波望遠鏡ロケットのロボット電波望遠鏡本体カバーに内蔵される高出力圧六角形状圧電子発電回路体シートを貼り付けたロボット電波望遠鏡本体カバーに成る。
【請求項２９】
太陽系を抜け出て遥か彼方の星々を映し続ける電波望遠鏡中継放送システムの、回転追加加速型ロボット電波望遠鏡ロケットの電気回路基板と超細配線とは、ガラス板合わせ回路基板と切ガラス板合わせ回路配線部分に出来る現在存に存在している回路配線実際依り、更に回路配線を細く擦る技術として、ガラス板を合わせる時に出来る隙間に回路配線物質の鉛銅物質を、擦り込んで回路配線に仕上げる方法に成り、回路基板の配線其々がガラス基板の四角形等の形に成り、回路配線側は、マイクロ回路配線基板として最初から回路配線部分及び抵抗体及び高出力コイル及びデータ記録ボックス及び色彩カラーチップ等の入る部分は、削り下げられている構造に成る電気回路基板と超細配線。
【請求項３０】
太陽系を抜け出て遥か彼方の星々を映し続ける電波望遠鏡中継放送システムの、回転追加加速型ロボット電波望遠鏡ロケットのデータ記録装置は炭素抜きガラス微粒子は水洗いクラゲ撹拌物質とチタン酸バリウムを混合させた合成材パネルを竹灰入りグラスファイバーで防護した高速低周波軽水素入り水切りクラゲアクリルチタン酸バリウム撹拌の多層シート型の映像データストックボックスを積載した太陽系を抜け出て遥か彼方の星々を映し続ける電波望遠鏡中継放送システムの、回転追加加速型ロボット電波望遠鏡ロケットの回路のデータ記録装置。
【請求項３１】
太陽系を抜け出て遥か彼方の星々を映し続ける電波望遠鏡中継放送システムの、回転追加加速型ロボット電波望遠鏡ロケットの宇宙ロケット電波望遠鏡ロボット高出力圧電素子六角形状発電回路レールモータータンク切り離し装置は、電波望遠鏡中継放送システムの、回転追加加速型ロボット電波望遠鏡ロケットは、地球大気圏を脱した場合でも、超小型予備燃料タンク積載の電波望遠鏡中継放送システムの、回転追加加速型ロボット電波望遠鏡ロケットに成り、大気圏外に出る際に空燃料タンクを、高出力圧電素子六角形状発電回路レールモータータンク切り離しモーター装置に依ってモーター電動仕切弁バルブ開閉に依って空燃料タンク二個を、大気圏に放出出来る装置。
【請求項３２】
太陽系を抜け出て遥か彼方の星々を映し続ける電波望遠鏡中継放送システムの、回転追加加速型ロボット電波望遠鏡ロケットの液体酸素タンク燃料ポンプ装置と水素タンク燃料ポンプ装置は、高出力圧電素子六角形状コイル無し発電回路レールモーターを使用積載した回転追加加速型ロボット電波望遠鏡ロケットの液体酸素タンク燃料ポンプ装置と水素タンク燃料ポンプ装置に成る。
【請求項３３】
太陽系を抜け出て遥か彼方の星々を映し続ける電波望遠鏡中継放送システムの、回転追加加速型ロボット電波望遠鏡ロケットの液体酸素タンク内スクリュー撹拌板と液体軽水素入り水素タンク内スクリュー撹拌板装置は、液体酸素回転させる為の回転増幅装置と液体軽水素入り水素を回転させる為の回転増幅装置。
【請求項３４】
太陽系を抜け出て遥か彼方の星々を映し続ける電波望遠鏡中継放送システムの、回転追加加速型ロボット電波望遠鏡ロケットの高出力マグネトロン点火装置は、軽水素ガス入り圧電素子磁石体を使用したドーナツリングマグネトロンの中央リングの中に、鋼鉄に高出力銅筒菅コイルを巻いた電磁石コイルに圧電素子磁石体粒子を巻き付けた高出力レールモーター方式の磁力線電子放出装置を取り付けた高出力マグネトロン点火装置。
【請求項３５】
太陽系を抜け出て遥か彼方の星々を映し続ける電波望遠鏡中継放送システムの、回転追加加速型ロボット電波望遠鏡ロケットの火力誘導管は酸素スクリュー管噴出し口と二又水素誘導管に依ってロケット第一エンジン及びロケット第二エンジンに取り付く火力誘導管は酸素スクリュー管噴出し口と二又酸素融合水素誘導管装置。
【請求項３６】
太陽系を抜け出て遥か彼方の星々を映し続ける電波望遠鏡中継放送システムの、回転追加加速型ロボット電波望遠鏡ロケットのレンズライトカメラ送受信回路は、炭素抜きガラス基板の回路配線溝組み合わせに於いての鉛銅溶液を炭素抜きガラス基板の回路配線溝に流し込んだ超細回路配線と各抵抗体及び高出力コンデンサー及び高出力発電回路配線及び高出力コイル及び低周波変換装置及び高周波発生送電信装置及びデータ記録ボックス及びカラー色彩圧電素子磁石体粒子入りジエリデーター収録体及び等の回路基板の予め掘り下げた構造の装置。
【請求項３７】
太陽系を抜け出て遥か彼方の星々を映し続ける電波望遠鏡中継放送システムの、回転追加加速型ロボット電波望遠鏡ロケットの回路基板に対して、受信したデータを超微量電気が流れる回路に低周データを低周波変換して、ガラス基盤配線に流す電気消費を少なく擦る回路基板のデータを送る又は流す手段を、電気で流す電気消費が多い今までの回路のデータの送り方を、低周波変換したデータを超微量電気回路配線に流す在り方に変えた回路のデータ送電信システム又は送波信システム。
【請求項３８】
太陽系を抜け出て遥か彼方の星々を映し続ける電波望遠鏡中継放送システムの、回転追加加速型ロボット電波望遠鏡ロケットの回路基板に対して、圧電素子磁石体粒子入りデータ多層収録シートカード装置又は多層ジエリボックス等の低周波書込みデータ消去に高周波データ消去手段を用いた回路システム。
【発明の詳細な説明】
【技術分野】
【０００１】
本発明は、地上から地球引力圏を世界最速で脱出擦る事と太陽系軌道を脱出して、次の銀河系引力圏周回路で、太陽系を抜け出て遥か彼方の星々を映し続ける電波望遠鏡中継放送システムに関するもので有る。
【背景技術】
【０００２】
太陽系の、太陽光が当たって、発電擦る太陽光ソーラーパネル発電の電気供給には、太陽光及び他の星の光の光度量には、距離的限界が有った。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【０００３】
太陽系の裏側まで、映す光吸収増幅ソーラーパネル発電技術が無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【０００４】
地上から、地球軌道の大気圏外の地球軌道に乗せる燃料ポンプの数量と重さの制限技術に限度が有った。
【０００５】
地上から宇宙を映し出す高出力電波天体望遠鏡に距離撮影限界が有った。
【０００６】
宇宙使用での燃料電池及びリチウム充電池の充電池貯蓄充電量に限界が有った。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【０００７】
ロケット本体を軽く擦る電気回路のコイルの重量には、銅コイルの重さに限界が有った。（登録実用新案第３２０３１０６号公報の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。）。
【０００８】
ロケット本体の電気使用する回路の回路配線の細さには、回路配線の作り方に限界が有った。
【０００９】
宇宙空間で使用するプラス温度計とマイナス温度計の計測幅には、マイナス計測限界が有った。
【００１０】
宇宙空間で使用する高感度レンズのハイビジョンカメラのアクリルガラスレンズしか無かった。
【００１１】
宇宙空間で使用する高感度レンズのハイビジョンカメラの画像認識データ変換装置のＣＣＤ技術には、スピード画像認識にスピード限界が有った。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００１２】
宇宙空間で使用する高感度レンズのハイビジョンカメラの画像認識データ変換装置のＣＣＤ技術のマイナス凍結作動に疑問が有った。（特開公報２０１３―０９３８９６号の国の全額借金返済と都道府県市町村区の全額借金返済の為の著作権先技術主張の高出力高画質発電ビデオテレビシステム。）。（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【００１３】
地上から、地球軌道の大気圏外の地球軌道に乗せる燃料の通常水素には、限界が有った。
【００１４】
宇宙空間で使用する高感度レンズのハイビジョンカメラの映像回路には宇宙活動マグマ磁場の影響を考えた磁力線磁場の修正整正する宇宙空間技術が無かった。
【００１５】
宇宙空間で使用する高出力銅筒管コイル配線積載の高感度マイク技術が無かった
【００１６】
宇宙空間で使用するソーラーパネルシリコンパネルに代わる水素入り圧電素子磁石体粒子入りシリコンの高出力シリコン技術が無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００１７】
宇宙空間で使用するソーラーパネル発電技術を使ったリチウム充電池以外の充電貯蓄時間の長い充電池が無かった。
【００１８】
地上から、地球軌道の大気圏外の地球軌道に乗せる為の、燃料ポンプの高速燃料ポンプには、貯蓄電気量に限界が有った。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００１９】
地上から、地球軌道の大気圏外の地球軌道に乗せる為の、燃料ポンプの高速燃料ポンプ作動の電気量に対する軽量発電技術には、モーターダイナモ重さに限界が有った。
【００２０】
地上から、地球軌道の大気圏外の地球軌道に乗せる為の、燃料ポンプの高速燃料ポンプ作動の電気量に対する軽量発電技術には、電磁誘導発電の発電量に限界が有った。
【００２１】
宇宙空間で活動する宇宙ロケットロボットのモーター重量とモーターに使用する電気量が少ない欠点が有った。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２２】
宇宙空間で活動する宇宙ロケットロボットの発電機には、ソーラーパネルしか無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２３】
宇宙空間で活動する宇宙ロケットロボットのモーターの電気消費量が、多過ぎた。（登録実用新案第３２０６０６５号公報の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置。）。
【００２４】
宇宙空間で活動する宇宙ロケットロボットカメラの画像認識するＣＣＤの画像認識スピードが遅すぎた。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２５】
宇宙空間で活動する宇宙ロケットロボットカメラの画像認識映像回路の色認識回路の太陽磁場及び宇宙磁場に対処擦る技術が無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２６】
宇宙空間で活動する宇宙ロケットロボットの回路配線には、全自動レアーアース回路基板配線取り込み技術しかなかった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２７】
宇宙空間で活動する宇宙ロケットロボット電波望遠鏡備え付けのライト技術が無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２８】
宇宙空間で活動する宇宙ロケットロボットの地球人工衛星発信の宇宙ロケットロボットの全自動システムの位置認識確認作動システムが無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
【００２９】
宇宙空間での、小型の星々で使用する宇宙火薬が無かった。
【先行技術文献】
【特許文献】
【００３０】
【特許文献１】特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。
【特許文献２】特開公報２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【特許文献３】登録実用新案第３２０３１０６号公報の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。
【特許文献４】登録実用新案第３２０３１０５号公報の国の全額借金返済と都道府県市町村区の全額借金返済の為の日本国内で販売されている商品に対しての国内特許権番号の明示義務と海外輸出商品に対しての海外国の特許権番号明示義務と海外審査請求の番号を商品自体に明示で無く完全な商品販売に対しての商品のパンフレット特許番号記載説明書とインターネット特許番号記載義務と審査請求書記載義務と新聞のチラシいずれかの特許権番号の記載義務とテレビ局宣伝部の知的所有権の特許権データ集計管理書の特許権番号記載義務に対して知的所有財産の番号の明示義務として、法人税の国の収集を多くし個人資産の不当の商品の値段に対して騙されない様にする対策の無料の特許権番号公開で無ければ、不正競争防止法の罰金の１００倍を日本国税収不足分として国会で国税と通常個人賠償として決めて貰う事にして技術横領行為に対して国税を主な国の税金の収集源とするテレビ画像の新作パネルの低価格テレビの最初の著作権者との特許権切れに対し新技術特許権切れの著作権契約から始まる商品作り説明。
【特許文献５】登録実用新案第３２０６０６５号公報の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置。
【発明の概要】
【発明が解決しようとする課題】
【００３１】
海外人工衛星技術に燃料ポンプ一つ技術と燃料ポンプ二つの電気供給関係の重量制限した場合から、此の二つの技術に成り、日本では、燃料ポンプ一つ技術に一度失敗してから、スクリュー燃料ポンプ吸引管とスクリュー供給管を取り付けた技術で無ければ、燃焼供給に対して大気圏外に出るまで、燃料供給を続ける技術そして燃料供給スピードを上げ続けなければ成らない事が一つと、燃料ポンプの数を二つにして、燃料供給量を増やし続ける方法がロケットを落とさずに地球大気圏外のバランス引力圏に浮かす手段に成るが、日本の宇宙開発機構の有る技術では燃料消費が多過ぎる事と、太陽系引力圏を、脱出する技術が無い事実の為、地上電波望遠鏡技術で見えない宇宙空間の星々を、太陽系引力圏害で、地上電波望遠鏡の中継の宇宙電波望遠鏡ロボットロケットを飛ばす事で、新たなる太陽系を抜け出て遥か彼方の星々を映し続ける電波望遠鏡中継放送システムを行う為に、全世界のロケット打ち上げ技術の欠点を解決擦るもので有る。
【課題を解決するための手段】
【００３２】
本発明のロケット燃料タンクの水素タンクの軽水素と重水素の割合を、５対５から軽水素６対重水素４の場合は、着火性の持続度を変えて、燃料ポンプのスクリュー吸引モーターとスクリュー供給管の取り付く燃料タンクに燃料タンクのスクリューポンプ加速に更なる高速スクリュータンク内の窒素重水素ガス加速スクリュー回転に依って、水素タンク内の加速を増す手段に成る。
更に、液体酸素タンクは液体酸素タンク内でスクリュー回転指せる必要つまり、酸素の回転追加加速しなければ、水素と酸素を使った燃焼スピードを上げる観点から、液体酸素タンク内のスクリュー回転指せる為の高出力六角形状圧電素子発電回路レールモーター羽根酸素回転加速装置が必要視去れる。
従って、水素タンク内をスクリュー回転し易い水素タンク内スクリュー形状と水素タンクに対して、超小型の別回転用タンクとして、窒素入り重水素は、通常の軽水素入り重水素依り、重い為に、質量違いに依って、予め容易去れて要る水素タンクスクリュー内壁タンクは、液体酸素タンクと水素タンクの合流点で、最初に水素ガス点火そして、酸素との燃焼に於いて、水素タンクポンプと液体酸素タンクポンプが前回に開くと同時に、予め超高速回転の窒素重水素加速ガスを開いて、水素タンク内の水素追加火力スピードを更に上げる事で、ロケットの瞬発燃料噴射度を上げる事で低燃費ロケット打ち上げ用のスクリュー回転ロケットエンジンに依って、大気圏外へ少しの燃料で加速そして、回転追加加速脱出出来るロボットロケットの太陽系を抜け出て遥か彼方の星々を映し続ける電波望遠鏡中継放送システム  
【００３３】
補足技術一つ目として、背景技術の一つ目の太陽系の、太陽光が当たって、発電擦る太陽光ソーラーパネル発電の電気供給には、太陽光及び他の星の光の光度量には、距離的限界が有ったに対しては、通常のソーラーパネルを炭素シリコンに変えた場合でも、地上発電と異なる為に、電気不足其のために、軽水素ガス入り炭素シリコンに変えると一段と発電量は、増えるが太陽系の太陽を背にした場合の太陽光吸収発電に対して、然程の充電量だが、此処での問題点は、２４時間の太陽光充電を可能に擦る手段そして、太陽光の当たらない時間も、既に太陽光の残電気で、再び充電出来る技術に、高出力六角形状圧電素子発電回路を、ソーラーパネルの本体内側に内蔵擦る事で、遥か彼方の宇宙空間でも、ソーラーパネルの発電回路システムに少ない電気を流し続ける事で、多くの電気エネルギーを算出出来るシステムに成り、言わば軽水素入り圧電素子磁石体の電気圧縮連続発電技術に成り、特許の技術公開済の本著作権者の作品に成る。
【００３４】
補足技術二つ目として、背景技術の二つ目の太陽系の裏側まで、映す光吸収増幅ソーラーパネル発電技術が無かった。此の場合は、仮に他人の技術のリチウム充電池を使って説明擦ると、通常リチウム充電池は、プラスとマイナス極一つの充電池体に成り、オーバー充電に成ると充電池加熱擦るのが現状の様で有り、其の為に、本著作権者考案技術の、プラスとマイナス極一つの充電池体に対して、プラス極のみ一つ個体の充電池とマイナス極のみ一つ個体の充電池の充電手段の充電池構造にした場合は、充電量は、プラスとマイナス極一つの充電池体より、遥かに多くの充電量が期待出来ると同時に、発電回路を使った充電手段に於いて、電気充電センサーを用いて、充電池の燃焼及び爆発を避けたい事実に成る。
【００３５】
補足技術三つ目として、背景技術の三つ目の地上から、地球軌道の大気圏外の地球軌道に乗せる燃料ポンプの数量と重さの制限技術に限度が有った。此の場合は、ロケットの重量に対して、燃料ポンプの数を、少なくした場合は、加速出来ずに失速して、落下擦る事に成り、反対の燃料ポンプの数を増やす場合は、それに伴っての電気が必要に成り、発電機積載の重量余地は無く、責めてロケットタンク表皮のプラスとマイナスを、分けた充電池手段に成り、軽水素入り圧電素子磁石体のペーパー充電池として、シリコンを少し混ぜたペーパー軽水素入り圧電素子磁石体シリコンペーパー充電池の水素タンクマイナス極と液体酸素タンクプラス極の充電池ペーパーに成り六角形状の発電回路方式のポンプ数を増やすロケット技術に成り、何れにしても、竹灰入りグラスフアイバー燃料ポンプに成り、高出力圧電素子六角形状発電回路レールモーター燃料ポンプに成る。
然しながら、燃料回転追加加速の技術は、如何に多くの燃料を、増やし続ける燃料ポンプ数量技術に注目すべきと言える。
【００３６】
補足技術四つ目として、背景技術の四つ目の地上から宇宙を映し出す高出力電波天体望遠鏡に距離撮影限界が有った。此の場合は、少なくても太陽系の軌道を脱出しなければ、日本の人工衛星のハヤブサは宇宙空間途中でソーラーパネル充電が出来なくなった理由から、交信不能に成り、海王星及び冥王星及び天王星及び新惑星発見止まりが、日本の企業総集結の技術でも、此の辺が技術限界で有るが、人間界と別の世界の地球生物技術は、他の国の技術の電波天体望遠鏡の見えない世界を、太陽系軌道脱出を、高出力六角形状圧電素子発電回路入りのソーラーパネル発電回路入り光度センサーとして、地球生物界で、再び未来を見つめ限り有る資源の活用を目指して、海王星及び冥王星及び天王星及び新惑星発見そして、新たなる太陽系の惑星発見と同時に、他の銀河系へ、其処からの高出力電波天体望遠鏡ロボットロケット発信を行う事で、現在時間が、限度の世界を、遥か宇宙の銀河其々に、高出力電波天体望遠鏡ロボットロケットを、宇宙銀河其々に発信擦る夢を携える事に成る。
【００３７】
補足技術五つ目として、背景技術の五つ目の宇宙使用での燃料電池及びリチウム充電池の充電池貯蓄充電量に限界が有った。此の場合は、言うまでも無い、日本のハヤブサの送信不能時間月日が物語、海外でも、行方不明の人工衛星も有る様で有り、確かに、リチウム充電池に水素で無く軽水素イオンリチウム充電池として、プラス極とマイナス極を、別々にした充電池を作って、新たなる日本ハヤブサに積載しても、送受信不能時間が、再び訪れる事は、１００パーセント確実の事実に成る。
然しながら、日本の総体制の企業集結技術の次の独自の技術は、期待と独自性つまり、世界特許権を従えて、特許推進国の日本の名の歴史に刻まれる日を期待し、尚且つ、本著作権者の地球生物技術は、此処でも、一番軽い高出力六角形状圧電素子発電回路入りのソーラーパネルと圧電素子磁力線の高出力発電回路入りの軽水素循環発電充電池システムを活用して、地球自然生物団体のニャンワン財団は、別行動の太陽系を抜け出て遥か彼方の星々を映し続ける電波望遠鏡中継放送システムの夢を駆け抜ける。
【００３８】
補足技術六つ目として、背景技術の六つ目のロケット本体を軽く擦る電気回路のコイルの重量には、銅コイルの重さに限界が有った。此の場合は、回路基板は、レアーアース回路基板の全自動ロボット回路配線埋め込み技術に関して、レアーアースのエアー送り出し技術に対して、レアーアースのエアー送り出し口を半割にして、更に四つ割りし、レアーアース通り口０，３ミリメートルまで細くした技術の全自動ロボット回路配線は、回路基板上は、同じ太さに成らないのが欠点で有るが為に、更に細くした回路配線０，１ミリメートル依り細くした回路配線基板が、超小型ロボットロケットの回路配線技術には、０，０５ミリメートルまで、細くする回路基板の構成として、ガラス基板の組合せ基板は、予め組合せ基板の回路配線部分のガラスを削って置く事に依って、ガラス基板上のコイル位置及び電気抵抗体位置及び映像回路チップ位置及び、低周波コイル及び高周波コイル及びデータストック装置等の位置を予め余彫り及び組み込み状態を作る事に成る。
従って、この竹灰入りガラス基板の多層式振動防止ゴム装置を従えた日本企業総体制の宇宙開発機構に真似の去れない回路基板技術説明に成り、此の回路基板に中国産レアーアースを溶かして流し込む事で、電気消費は、世界全ての国の技術のトップに成り、株式上場を絶対に行わないニャンワン財団の世界最高のスーパー細の回路配線に依って、電気消費を、世界で一番少なく擦ると同時に世界最少の人工衛星の高出力電波天体望遠鏡宇宙ロボットロケット技術に目途が立った瞬間に成る。
【００３９】
補足技術七つ目として、背景技術の七つ目の宇宙空間で使用するプラス温度計とマイナス温度計の計測幅には、マイナス計測限界が有った。此の場合は、水銀を遠心分離機に掛けて、軽い水銀だけを使ったマイナス５０００度位に対応し、常温２０度計測の幅を持った温度計が宇宙空間では必要視去れる事に成る。
従って、無酸素状態の太陽光の届かない無重力地帯地域での遥か銀河系の星々の高出力電波天体望遠鏡の複数の中継を行った宇宙空間銀河観測２４時間放送の日も近い。
【００４０】
補足技術八つ目として、背景技術の八つ目の宇宙空間で使用する高感度レンズのハイビジョンカメラのアクリルガラスレンズしか無かった。此の場合は、本発明著作権者の炭素抜きガラス技術は、通常ガラスを、熱溶解高速遠心分離に掛けて、炭素無の通常ガラスレンズは、光透過の遮る物を一切取り除いた世界で一番透過性の有る美しいガラスレンズを使った高出力電波天体宇宙ロボットロケット望遠鏡の更なる太陽系を抜け出て遥か彼方の星々を映し続ける電波望遠鏡中継放送システムの時代が目の前まで来ている事実に成る。
【００４１】
補足技術九つ目として、背景技術の九つ目の宇宙空間で使用する高感度レンズのハイビジョンカメラの画像認識データ変換装置のＣＣＤ技術には、スピード画像認識にスピード限界が有った。此の場合は、通常のＣＣＤを使ったレアーアース回路の被写体画像認識送受信装置では、確かにレアーアース回路配線の分、電気消費は通常回路基板時代からは可なり電気消費が少なく成り、本発明者考案発明の圧電素子４電子磁気分割装置を使った場合は、電気抵抗ゼロ社会に近づく事に成り、残りの軽水素入り圧電素子磁石体粒子の微粒子回路配線とレアーアース回路の二重底回路配線を使う事で、電気抵抗ゼロ回路に更に近づき、最後に、電気回路自体を、電気抵抗配線のみと圧電素子映像回路チップと高周波コイルと低周波コイルそして、データ一時ストックのジエリアクリルチタンバリウム映像記録装置等の新たなる他社に真似の出来ない映像回路技術を従える事に成る。
恐らく、他社では、圧電素子四電子磁気分割装置を、無断で使った場合は、現行の技術では、家電製品及び携帯電話及び、自動車等の計器ナビゲイション回路の熱溜り事故は避けてもＣＣＤの水素入りＣＣＤ及び軽水素入りＣＣＤの様に被写体画像の超高速認識と超高速連射技術を、可能に擦る技術が、圧電素子四電子磁気分割装置とＣＣＤの軽水素ガス入り技術に成る。
此の場合は、二つの別々の異なった技術を入れたカメラを、使った時に、答えは、レアーアースで無く、圧電素子四電子磁気分割装置とＣＣＤの軽水素ガス入り技術に成る事が判明し、レアーアース技術は、電気消費を、少なく擦る技術と同時軽水素追加合成水素に回路配線を、細く擦る技術の答えで有るのは、言うまでも無い事実。
【００４２】
補足技術十目として、背景技術の十目の宇宙空間で使用する高感度レンズのハイビジョンカメラの画像認識データ変換装置のＣＣＤ技術のマイナス凍結作動に疑問が有った。（特開公報２０１３―０９３８９６号の国の全額借金返済と都道府県市町村区の全額借金返済の為の著作権先技術主張の高出力高画質発電ビデオテレビシステム。）。（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
此の場合は、ＣＣＤのシリコン凍結が考えられる為に、太陽系を抜け出て遥か彼方の星々を映し続ける電波望遠鏡中継放送システムの放送中断事故を避ける為に、シリコンＣＣＤにガンマー線を入れるか、アルファー線を入れた場合は、ライト照射回路が考えられる事に成り、恐らくマイナス数千度の宇宙の無重力空間での、２４時間３６５の無休憩撮影を行う事に成り、多層シート構造のプラス回路管とマイナス回路管そして、防水カメラの上の完全密封ＣＣＤが、何時まで壊れずに使用出来るかが問題視去れる事柄に成り、最終決断として、炭素抜き透過ガラスとガラスの間に、軽水素マイクロシリコンは、軽水素の量をシリコン５に対して５に擦るか、炭素抜きガラスの間に軽水素だけを、軽水素ガス空間の中でのロボット二枚ガラス溶着技術に成り、此の場合は、二枚合わせガラスの軽水素ガス空間に対して、炭素抜きガラスマイクロ微粒子入り白チタン酸バリウムシートと軽水素入りフッ化カルシウムシートの二枚シート貼りつけガラスの中に軽水素ガスを封じ込めた光反応被写体認識装置に成り、硝子板には予め微電子圧の計測配線が取り付く計算に成る。２０１９年６月１９日ＰＭ２３時５７分美馬牛にての追加考案記す。
【００４３】
補足技術十一目として、背景技術の十一目の地上から、地球軌道の大気圏外の地球軌道に乗せる燃料の通常水素には、限界が有った。
此の場合は、水素中の軽水素を水素燃料に追加した合成水素と軽水素追加合成水素をスクリュー回転追加加速回転指せる為に、水素質量の異なる窒素入り重水素で、軽水素追加合成水素を加速スクリュー回転指せる為の加合水素と合成水素の水素質量違いの意味説明。
【００４４】
補足技術十二目として、背景技術の十一二目の宇宙空間で使用する高感度レンズのハイビジョンカメラの映像回路には宇宙活動マグマ磁場の影響を考えた磁力線磁場の修正整正する宇宙空間技術が無かった。
此の場合は、乱れた映像の修復作業に成り、最良の選択肢は映像カラー五元素チップに対して、赤色と青色と黄色と白色と黒色に圧電素子磁石体粒子を入れた圧電素子磁石体粒子入り赤色ダイオードチップと圧電素子磁石体粒子入り青色ダイオードと圧電素子磁石体粒子入り黄色ダイオードチップと圧電素子磁石体粒子入り白色ダイオードと圧電素子磁石体粒子を入れた黒色ダイオードは、組み合わせ方で色彩限度色の５００数十色の色彩の種類を、圧電素子磁石体粒子入り映像元素五元色チップでは、映像の乱れが無い。
つまり、圧電素子磁石体粒子入り映像五元色は、圧電素子磁石体の磁気電気にして有る為、マグマ磁場などで乱れても、磁力線映像波は、自動的に修復する為に、圧電素子磁石体粒子入り五元色チップは、遣いかってが良い為に、特許権に成って居ない技術などでは、勝手に使用され易い技術と言える。
この他、圧電素子磁石体粒子入り五元色チップに軽水素ガスを入れた場合は、色彩色が綺麗に成り、鮮やかな程鮮明な画像を得る事が出来る為に、ハイビジョン技術と良く間違えられる映像海鮮度に成る為に、
最近では、テレビ画像の電波障害の計測の為の試験電波放送連絡の無い時代だが、どの様にして電波障害を無くしたかは、誰も語らない事実の説明。
【００４５】
補足技術十三目として、背景技術の十三目の宇宙空間で使用する高出力銅筒管コイル配線積載の高感度マイク技術が無かった。
此の場合は、宇宙空間の宇宙磁場の影響を受けない高感度マイク技術に対して、本著作権者技術の高出力軽水素圧電素子磁石体粒子入り銅筒管コイルと軽水素圧電素子磁石体シート入り複数穴開きステンレス板の合わせ人工合成高出力圧電素子磁石体パネルに高出力銅筒管コイルを巻いた高出力マイク説明に成る。
【００４６】
補足技術十四目として、背景技術の十四目の宇宙空間で使用するソーラーパネルシリコンパネルに代わる水素入り圧電素子磁石体粒子入りシリコンの高出力シリコン技術が無かった。（特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。）。
此の場合は、シリコンに軽水素及び水素及び圧電素子磁石体粒子及びアルファー線一粒粒子及びガンマー線一粒粒子等のシリコン合成の回路部品に成る。
従って、軽水素入りシリコンは、水素入りシリコンより、スイッチ切り替えスピードが、水素入りシリコン依り軽水素入りシリコンの方が、スイッチ切り替えスピードが速く成る従って、理由に水素中の軽水素イオン電子量と軽水素だけの軽水素イオンシリコンスイッチは、軽水素イオン量が水素イオンシリコン依り、軽水素イオン電子量の多い方が、スイッチ切り替えが早く成る。
そして、通常シリコンと圧電素子磁石体粒子入りシリコンは、磁気電気変化が出来ないシリコン依り、スイッチ切り替えが早く成る。
更に、アルファー線一粒粒子入りシリコンと通常シリコン依り、異なった能力シリコンとは、熱感知アルファー線一粒粒子入りシリコンに成り、シリコンを固めない効果が有る。
この他の、ガンマー線一粒粒子入りシリコンと通常シリコンの違いは、ガンマー線一粒粒子入りシリコンは、アルファー線一粒粒子入りシリコンは、現時点で、シリコンの塊を防ぐ効果を期待した技術に成る説明。
【００４７】
補足技術十五目として、背景技術の十五目の宇宙空間で使用するソーラーパネル発電技術を使ったリチウム充電池以外の充電貯蓄時間の長い充電池が無かった。
此の場合は、通常充電池は、プラス電極とマイナス電極を同一の一つの充電池体に擦る為に充電の際は、必ず熱抵抗電気がつまり、中間陽電子電気と中間陰電子電気を作り出す為に、１００セント充電は不可能に成る。
然しながら、充電池の充電手段を、プラス極とマイナス極を分けたプラス充電池とマイナス充電池は、熱中間陽電子電気と熱中間陰電子電気を必要としないプラス極充電池とマイナス極充電池に成り、プラス極充電池に圧電素子四電子磁気分割装置を使って、プラス陽電子のみの充電に依って、理屈上は、１００パーセントプラス極のみ充電池は存在する。
更に、マイナス極充電池に圧電素子四電子磁気分割装置を使って、マイナス陰電子のみの充電に依って、理屈上は、１００パーセントマイナス極のみ充電池は存在する。
この様に、プラス極充電池とマイナス極充電池を分けた場合は、通常のプラス極とマイナス極一体型依り、充電池量は多くなる説明。
【００４８】
補足技術十六目として、背景技術の十六目の地上から、地球軌道の大気圏外の地球軌道に乗せる為の、燃料ポンプの高速燃料ポンプには、貯蓄電気量に限界が有った。
此の場合は、貯蓄充電池を大きく擦ると燃料積載タンクを大きく擦ると同時に余りメリットが無い、其の為に、高出力六角形状圧電素子発電回路の軽水素ガス入りの六角圧電素子磁石体を使った特殊発電システム
つまり、電気圧力を連続して軽水素ガス入りの圧電素子磁石体に掛ける事に依って、軽水素入り圧電素子を使った電気エネルギー圧力は、磁気イオンの電気エネルギー増幅を齎す。
此処までの説明に依って、太陽系を抜け出て遥か彼方の星々を映し続ける電波望遠鏡中継放送システムのロボットロケットの液体酸素タンクと水素タンクの、電気エネルギー確保として、タンク表面に高出力六角形状圧電素子発電回路を貼る技術と同時に、充電池を小型軽量化出来る具合の良い高出力六角形状圧電素子発電回路とプラス極とマイナス極を分けた充電池が完全なる永久充電池が出来上がる日も近い。
【００４９】
補足技術十七目として、背景技術の十七目の地上から、地球軌道の大気圏外の地球軌道に乗せる為の、燃料ポンプの高速燃料ポンプ作動の電気量に対する軽量発電技術には、モーターダイナモ重さに限界が有った。
此の場合は、日本のロケット技術及び海外全てのロケット技術に使用去れるのが、ソーラーパネルと充電池に成り、ロケットが大気圏外に出る為の燃料ポンプ回転吸引放出を最高速回転スピードの回転を、得るだけの充電池の蓄電量が蓄電できる充電池をロケットに積載擦るのが通常の事実に成る。
従って、充電池の貯蓄電気量に限界が有り、空くまでもソーラーパネルを発電量とした場合は、充電池量に限界が発生するが、高出力六角形状圧電素子発電回路間違いない電気技術上の確かな技術で有る事が説明出来る作品だと言えるからで有る。
されど、モーターダイナモ技術は、捨てれ無い理由として、電磁誘導発電機同軸積載の高出力六角形状圧電素子発電回路レールモーターは、宇宙の星の開発技術に欠かせない技術に成るのも、言う間でも無い事実説明。
【００５０】
補足技術十八目として、背景技術の十八目の地上から、地球軌道の大気圏外の地球軌道に乗せる為の、燃料ポンプの高速燃料ポンプ作動の電気量に対する軽量発電技術には、電磁誘導発電の発電量に限界が有った。
此の場合は、高出力六角形状圧電素子発電回路技術を構築した現在は、電磁誘導発電の発電量が少なくても、高出力六角形状圧電素子発電回路に電気を通しただけで、電気増幅可能技術は、公開著作権文章上の年月日確認証明から、他の者が、使用出来ない技術つまり、著作権技術を、特許請求技術とは、著作権者の目的が完結つまり、終了しない限り、著作権者は元の地球の自然環境に戻すと同時に、自然環境を、循環自然環境世界の構築までの作業は続くそして、あの日のあの日が返って来るその日そして、未来と文明が出会えるその日までの説明。
【００５１】
補足技術十九目として、背景技術の十九目の宇宙空間で活動する宇宙ロケットロボットのモーター重量とモーターに使用する電気量が少ない欠点が有った。
此の場合は、高出力六角形状圧電素子発電回路レールモーターの公開構築と電気量が少ない欠点に対して、圧電素子四電子磁気分割方式と高出力六角形状圧電素子発電回路の三つの技術を、本著作権者が技術構築した事で、宇宙空間へ高出力六角形状圧電素子発電回路レールモーターと圧電素子四電子磁気分割方式と高出力六角形状圧電素子発電回路三つセットの宇宙ロケットロボットを宇宙空間に運ぶ事で、更なる小型の星々の開発の目途らしき姿が見えて来た事実とは、資源の掘削と宇宙空間での小型惑星の金属加工使用の夢はまだ先に有る。
但し、大きな星の場合は、宇宙空間に金属資源を浮かす事が可なり大変な技術に成る為に、小型惑星の探査が第一目的に成る。
【００５２】
補足技術二十目として、背景技術の二十目の宇宙空間で活動する宇宙ロケットロボットの発電機には、ソーラーパネルしか無かった。
此の場合は、宇宙ロケットロボットは、太陽光の届かない場所の活動が出来ないと言う制約の言葉を突き付ける事を避ける為に、まず、電気中の熱電気抵抗を取り除く装置の圧電素子四電子磁気分割装置と電気を通しただけで発電出来る高出力六角形状圧電素子発電回路と最後の充電池の素材に選ばれたのが、軽水素ガスと圧電素子磁石体の磁力線と軽水素を吸収出来るチタン酸バリウムと炭素抜きガラス微粒子体の組合せ充電池体は、高出力発電回路を内蔵した軽水素ガスカバー体までを、軽水素ガス内蔵の圧電素子磁石体カバーつまり、イオン磁気電気体即ち、電気の固まりを二つプラスイオン磁気電気体循環発電池とマイナスイオン磁気電気体循環発電池は、最終結論に近づく永久循環充電池は、軽水素ガスの熱劣化を防ぐ竹灰窒素ガス入りグラスフアイバーカバー付の充電池と圧電素子四電子磁気分割方式を其々プラス極充電池とマイナス極充電池は、永久充電池に最も近く成り、自動充電池依り軽い事に成る為に、ロボットロケット積載が最適な二つ別個体の充電池に成る説明。
【００５３】
補足技術二十一目として、背景技術の二十一目の宇宙空間で活動する宇宙ロケットロボットのモーターの電気消費量が多過ぎた。
此の場合は、高出力六角形状圧電素子発電回路レールモーターは、銅コイルそして、高出力軽水素圧電素子磁石体粒子入り銅筒管コイル配線自体すら、棒状レールモーターそして、レールモーターからも、外さなければ、リニア―モーターカーの存在そして、レールモーターが、此の世に棒状モーターとして、出現するまでは、板モーターの名でこの世に出現する。
つまり、モーターダイナモの名称に対して、通常モーターダイナモでは、何も成らないつまり、電気消費が多過ぎるから商品に成らない事実に成る。
其の為に、コイル無モーターを換気栓モーターに付けて、特許請求した経緯とは、確かに此の時点では、既に圧電素子四電子磁気分割装置は、特許公開作品で有り、四角型発電回路も特許公開に成って居た作品で有ったが、著作権本人が求める電気財産までは、到達出来て居なかった確かにあの使い勝手の圧電素子に軽水素ガスを入れる技術は、確定しても、軽水素本来の力とは、爆弾に成る水素のエネルギーに対して、軽水素トリチウム電子ガスは、電子エネルギー体何度考えても、四角型発電回路が本来の発電量で無い事実そして、言葉の自縛から取り外されられるもう一つの世界循環エネルギー世界への扉は、水爆で知る水素エネルギーの莫大な圧縮力に有り、更に軽水素は、圧縮力を持って圧縮力が尽きるまで、全てをエネルギー変える事実アルファー水素は、熱をも吸収擦る事実に成る。何度も何度も同じ答え、だが、事実とは異なる事実そして、最終的答えが、四角型発電回路の形状を変えなければ成らない事実とは、磁力線とは、本来直線で無く、同一曲線で有る為に、細工し易い六角形状を選択肢し楕円形形状も候補だが、最終結論は、軽水素圧電素子磁石体の形状を磁力線に一番近い形状に擦る事で圧電素子磁石体の圧電効果を、最大限に生かす事を見出す事に成ると同時に、コイル無モーターの形状は、目隠しでも描ける事に成る。
これまでの、経緯は宇宙空間で活動する宇宙ロケットロボットのモーターの電気消費量を減らす技術を構築する事に成る。
【００５４】
補足技術二十二目として、背景技術の二十二目の宇宙空間で活動する宇宙ロケットロボットカメラの画像認識するＣＣＤの画像認識スピードが遅すぎた。
此の場合は、ＣＣＤの電子スピードが遅いと成ると水素入りＣＣＤより、軽水素入りＣＣＤの方が電子量の量が多く成る為に、ロボットカメラの画像認識するＣＣＤの画像認識スピードが早く成る。
従って、尚且つＣＣＤの画像認識スピードをスムーズムに擦る為に、軽水素ガス入りＣＣＤに圧電素子磁石体粒子を入れる事で、電気回路スイッチ変換をスムーズムに動かす事を可能に出来る技術が、軽水素入りの圧電素子磁石体入りの棒状レールモーターの磁極切り替えスイッチ確かに手段が、リレースイッチとシリコンスイッチの二つの手段に成り、軽水素トリチウム電子入り圧電素子磁石体を固定擦る技術に二通り有り、一つに複数穴開きステンレス板を被せる技術と軽水素トリチウム電子ガス入り圧電素子磁石体に弱冠のシリコン又はビニールを混合指せる事で軽水素トリチウム電子ガス入り圧電素子磁石体の固定と圧電素子磁石体のモーター滑落及び破壊を防いだ技術説明でも有った。
そして、シリコンソーラーパネルの熱エネルギーを無駄なく電気エネルギーに変える手段が、圧電素子四電子磁気分割装置の電気を磁気電気変換する事で、熱電気と熱抵抗無しの高速電気に別ける技術の事実を、踏まえて、水発電機の進化の上で、熱エネルギーを全て電気エネルギー変換出来る手段の錯誤に有った。
つまり、圧電素子磁石体粒子筒パネルの中に液体水素を入れる技術は、熱電気を磁力線電気に変える技術説明に成る。
【００５５】
補足技術二十三目として、背景技術の二十三目の宇宙空間で活動する宇宙ロケットロボットカメラの画像認識映像回路の色認識回路の太陽磁場及び宇宙磁場に対処擦る技術が無かった。
此の場合は、一番新しいジェリアクリル海クラゲの水洗い撹拌物質とアクリルガラスの撹拌物質と炭素抜きチタン酸バリウム特にバリウムを遠心分離掛けて少し透過させたバリウム液等で撹拌させた合成物質に成り、録画録音に対して、効果の有る化合物質に成る。
この他の、圧電素子磁石体回路チップを宇宙ロケットロボットカメラの画像認識映像回路の色認識回路に取り付ける手段と宇宙ロケットロボットカメラの画像認識映像回路の色認識回路の五大色彩元素の赤色ダイオードと青色ダイオードと黄色ダイオードと白色ダイオードと黒色ダイオードに対して、圧電素子磁石体粒子を入れた映像色彩回路チップと植物の松脂と炭素抜きガラス微粒子とチタン酸バリウムの混合物質の回路チップなどが有り、何れにしても、磁気体に映像波を通して、磁気磁力線の全自動修復修正整正を行う事で、問題は解決される事に成る。
【００５６】
補足技術二十四目として、背景技術の二十四目の宇宙空間で活動する宇宙ロケットロボットの回路配線には、全自動レアーアース回路基板配線取り込み技術しかなかった。
此の場合は、今までの全自動回路基板のレアーアース基板ロボットで作るレアーアースの回路配線が太すぎて、回路基板の電気消費が多過ぎた欠点が有り、電気消費を抑える事に依って、回路基板の小型軽量化を行う事で対処する事に成る。
従って、回路基板のレアーアース基板配線を、０，００５から０，０１の回路基板配線の細さに擦る為に、予め０，００５の細いガラス基板配線溝のブロックガラス基板に擦る事で、硝子基板を寄せ合わせて、硝子基板の回路配線の溝にレアーアースを溶かして流し込んでガラス面までの余分な太さのレアーアースを取り除いた０，００５から０，０１の回路基板配線の細さで全世界の家電基板のシエアー流通市場を、最終的に一つに擦る技術説明。
【００５７】
補足技術二十五目として、背景技術の二十五目の宇宙空間で活動する宇宙ロケットロボット電波望遠鏡備え付けのライト技術が無かった。
此の場合は、ライトの球切れが宇宙空間での交換作業に成る為に、ライトの球切れ防止対策を行わなければ成らない事実に直面擦る。
従って、既に公開して有る二重ライトパネルは、透過炭素抜きガラス板に対して、アルゴン弱ネオンガス入りグラスフアイバーパネルのライトに対して、軽水素入りフッ化カルシウム入りのグラスフアイバーパネルの、アルゴン弱ネオンガス入りグラスフアイバーパネルのライトに電源を通して、光を発した光エネルギーで軽水素入りフッ化カルシウム入りのグラスフアイバーパネルが、光吸収発光擦る為に、アルゴン弱ネオンガス入りグラスフアイバーパネルのライトの電気量調整を行って二重ライトの電気温度及び光温度劣化を防いだライト説明。
【００５８】
補足技術二十六目として、背景技術の二十六目の宇宙空間で活動する宇宙ロケットロボットの地球人工衛星発信の宇宙ロケットロボットの全自動システムの位置認識確認作動システムが無かった。
此の場合は、地球超小型衛星の他に、土星超小型衛星と天王星超小型衛星と海王星超小型衛星と冥王星超小型衛星とセドナ星超小型衛星を使った太陽系軌道外の宇宙ロケットロボット電波望遠鏡位置を示す場合の三角点位置を示す大事な役割をする事に成り、恐らく、セドナ星超小型衛星は、太陽光の光吸収発電が出来ない場合が生じる為に、高出力六角形状圧電素子発電回路と磁力線軽水素循環発電池などで、対応する事に成り、宇宙ロケットロボット電波望遠鏡には、五個以上の位置確認装置が積載する事に成る説明。
【００５９】
補足技術二十七目として、背景技術の二十七目の宇宙空間での、小型の星々で使用する宇宙火薬が無かった。
此の場合は、宇宙開発用として、超小型の電気火薬と超小型水爆を組み合わせた惑星の岩を砕く宇宙開発用の火薬説明。
【００６０】
補足技術二十八目として、背景技術の二十八目の液体酸素タンクの液体酸素タンク内の酸素加速出来る高出力六角形状圧電素子発電回路レールモーター羽根装置内蔵の液体酸素タンクと試験の答え次第の水素タンク内の水素加速出来る別の水素タンク内の高出力六角形状圧電素子発電回路レールモーター羽根装置内蔵の水素タンク説明。
【発明の効果】
【００６１】
上述の様に、本発明の太陽系を抜け出て遥か彼方の星々を映し続ける電波望遠鏡中継放送システムに対して、如何に地上から大気圏外へ逸早く脱出して、太陽系軌道を脱出した場所からの、逆に太陽系を見たデータと太陽系軌道を脱出した場所の宇宙空間の定位置に依る宇宙ロケットロボット電波望遠鏡を使った電波望遠鏡中継３６５日２４時間放送システムを行う為の大体の著作権上の技術公開説明を行い新たなる地球生命の人生１５０年時代を目標とした新しい放送文学の確立への道を開き、新しい人生設計の役割の基礎を作る事と擦る。
【００６２】
地上から、大気圏外に逸早く出る技術として、軽水素入り水素タンクと液体酸素タンクに対して、軽水素入り水素タンクの軽水素入り水素のスクリュー回転スピードを加速指せる窒素重水素遠心加速機と液体酸素タンク酸素加速器と超小型ロボットロケットに必要視去れる超細のレアーアース軽量竹灰入りガラス竹灰ゴム合板回路基板に依って、電気消費を世界最小限にする事で、宇宙ロケットロボット電波望遠鏡の電気消費の心配をしなくて済む技術。
【図面の簡単な説明】
【００６３】
【図１】太陽系を抜け出て遥か彼方の星々を映し続ける電波望遠鏡中継放送システムの回転追加加速型ロボット電波望遠鏡ロケットの概略説明図。
【図２】太陽系を抜け出て遥か彼方の星々を映し続ける電波望遠鏡中継放送システムの追加液体酸素タンク加速器と追加水素タンク加速器の説明図。
【図３】太陽系を抜け出て遥か彼方の星々を映し続ける電波望遠鏡中継放送システムの回転追加加速型ロボット電波望遠鏡ロケットの説明図。
【図４】太陽系を抜け出て遥か彼方の星々を映し続ける電波望遠鏡中継放送システムの追加液体酸素タンク加速器と追加水素タンク加速器の加速装置説明図。
【図５】太陽系を抜け出て遥か彼方の星々を映し続ける電波望遠鏡中継放送システムのスクリュー羽根巻き込み型液体水素液体酸素タンクポンプの説明図。
【図６】太陽系を抜け出て遥か彼方の星々を映し続ける電波望遠鏡中継放送システムのスクリュー羽根巻き込み型液体水素液体酸素タンクポンプの別の角度から見た説明図。
【図７】太陽系を抜け出て遥か彼方の星々を映し続ける電波望遠鏡中継放送システムのロケット燃料排出量調整口の説明図。
【図８】太陽系を抜け出て遥か彼方の星々を映し続ける電波望遠鏡中継放送システムの追加液体酸素タンク加速器と追加水素タンク加速器の点火装置説明図。
【図９】太陽系を抜け出て遥か彼方の星々を映し続ける電波望遠鏡中継放送システムのガラス板合わせ回路基板の説明図。
【図１０】太陽系を抜け出て遥か彼方の星々を映し続ける電波望遠鏡中継放送システムの高速低周波軽水素入り水切りクラゲアクリルチタン酸バリウム撹拌多層シート映像データストックボックスの説明図。
【図１１】太陽系を抜け出て遥か彼方の星々を映し続ける電波望遠鏡中継放送システムの追加液体酸素タンク加速器と追加水素タンク加速器の加速装置二番目の説明図。
【図１２】太陽系を抜け出て遥か彼方の星々を映し続ける電波望遠鏡中継放送システムの北海道知事宛てに提出した２０１９年 ５月３０日ＰＭ１４時考案の回転追加加速型ロボット電波望遠鏡ロケットのハガキ原本図の証拠の写し図。
【図１３】本発明の太陽系を抜け出て遥か彼方の星々を映し続ける電波望遠鏡中継放送システムの北海道知事宛てに提出した２０１９年６月１９日ＰＭ２３時５７分美馬牛にて考案作品のマイナス１０００度でも、作動可能なＣＣＤの参考説明図。
【図１４】ロケット製造時のウイルス事故に対応擦る為のマスク代わり出来る三層構造のハンケチに成り、表裏を竹灰入りテトロン糸及びナイロン糸性に成り、中間に綿糸布に成り、三層構造の為、デザイン刺繍に依って一枚の固定布構造に成って下り、他に固形窒素冷却糸及び、発電回路シート内蔵の中間電気熱集積糸構造に成り、超小型循環発電地と部分的に圧電素子磁石糸に依って紐の代わりに圧電素子磁石糸プレート接合方式に依って、マスク代わり出来るハンケチそして、超小型ウイルス耐用超小型洗濯機の他に、今後のウイルス対策用の服ポケットからハンケチが、取り出し易い両腕部分の先程に圧電素子磁石ポケット方式の上着参考説明図。
【図１５】ロケット製造時のウイルス事故に対応擦る為のマスク構造は、竹灰入りプラスチック綿合成糸及び透明糸を、使って縦縫い斜め縫い横縫いを交えた布及び更に、竹灰入りナイロン綿合成糸布そして、竹灰入りプラスチック透明糸布の三層構造のマスクに成り、三層目のマスクの布端は、四角形状にスッポンジ正四角形帯を貼り付けたマスク横からのウイルス侵入を徹底的に防ぐ構造の７０度の温水洗濯目的のマスク説明に成り、リング調整紐付きの、毒性の強いウイルス対応マスク参考説明。
【図１６】夏場のロケット製造時の暑さ対策用クリームは、薄荷入り乳酸ヨーグルトクリームこの他の薄荷入り乳酸ヨーグルトクリームに中性洗剤を入れた石鹸クリーム等に依ってロケット製造時の負担軽減の参考説明図。
【図１７】ロケット製造時の新型コロナウイルス以上の毒性が強まった場合の対処方法として、抗生物質を飲んで、三分以内に抗ウイルス薬の希硫酸塩入りの風邪薬つまり、合成新薬を服用に成るが、希硫酸塩が、猛毒な為、容量などを、完全に守らないと死に至る為に、市販では１８未満は、親の許可が必要になり、多く飲むと死に至る為、為るべく医療機関の市販に成り、薬の内容確認説明書に、署名が必要に成る。この他の、硝酸塩は、薬を飲んだ後、熱発生が有る為、使用は極めて難しく、塩酸塩は、薬に使用しても、有る一定部分を焼いて死滅させる薬に成り、希硫酸塩より、死滅力が弱まる点は、いがめないが急遽に使用する薬では、塩酸塩つまり、通常の風邪薬より、強い死滅力の有る塩酸塩は但し、常時服用は避けるべき、希硫酸塩の薬の量設定は、可成り大変な作業に成るが、６３度まで、死滅しない現在の風邪そして、毎年進化擦る風邪ウイルスそして、サーズ過去からのスペイン風邪など、ウイルスは、同じ状態で、氷の中に凍結していない為、換気扇及び、外気の出入り口の外気殺菌及び室内殺菌まで、念入りの時代到来に対処した希硫酸塩が、毒で有る事の説明参考に成り、川海湖の水質の改善と化石燃料の完全凍結の時代に向けて、新たなる税金改革して来た自然への付け回しを考える為の参考説明図。
【図１８】ロケット製造時の家庭生活の応援として、合成マカ剤の説明として、マカ粉と行者ニンニク塩は、アーモンド油とピーナツ油と行者ニンニクを撹拌して絞り汁と塩の合成とこれから、検査しなければ成らない蛇の枕の水草の根の絞り汁又は根の乾燥粉末など、この他、マタタビの青木を、撹拌した汁も、今後の調査の二つの今まで薬として使用された事の無い草木の参考説明図。
【図１９】ロケット製造の高額取引用コインの説明として、外周を炭素抜き強化ガラスカバー次にプラチナ貯金銀行預かりナンバープレート次に中抜き２４金デザイン絵柄次に軽水素フッ化カルシウムシート入りルビーパウダー及び水晶パウダーに依る発光人工宝石説明に成り、別に外周に取引データ出力データジャック圧電素子カードボックス内貯蔵コインで有り、入力時は、液体圧電素子を使って、乾燥すると固まる圧電素子に成り、今後は、磁気移動書き換え無しの超微粒子圧電素子を考える。更に、人口パウダールビー及び人口パウダーサファイア及び人口パウダーエメラルド及び人口パウダー トパーズ次にプラチナリング次に、銀行暗号カラー絵文字カメラ認識コイン等の参考説明図。
【図２０】ロケット製造時の室内スピーカーの二重和音型スピーカーの説明として、高速波型電波電気つまり衝撃波音と低速波形型電波電気を同時又は、切り替えの為の、圧電素子粒子誘導型スクリュースピーカーに成り、この他の、音域振動防止シートとして、発砲スチロールシートと複数穴あきゴムシートと木材繊維シートの組み合わせ合板のスピーカー防護パネルに成り、接着剤として発砲スチロールセメダインと発砲スチロールゴム接着剤の二重接着剤に成り、二個以上のスピーカーの防護パネルに発砲スチロールシートと複数穴あきゴムシートと木材繊維シートの組み合わせ合板のスピーカー防護パネルに成り、接着剤として発砲スチロールセメダインと発砲スチロールゴム接着剤の二種類の接着剤を使用したスピーカーパネル参考説明図。
【図２１】ロケットを使って、ニヤンワン王国への、ヘアーリングの説明に成り、高出力発電回路入り二重軽金属のゴールド箔及びプラチナ箔貼り付け手段とニャン王国ライトスイッチとワン王国ライトスイッチ及びサンラの花弁空間切り抜きと中央にニャンワン王国旗そして、ヘアーリング底リング状は、勾玉リング人口ルビー勾玉に成り、桜の花弁反対の空間は、雪の結晶空間に成り、人口勾玉は、軽水素入りフッ化カルシウムシート入りのパウダールビー及びパウダーサファイア及びパウダーエメラルド及びパウダー トパーズ等デザイン調整例として、炭素抜きガラスの中にパウダールビー金プラチナを纏ったパウダーサファイア及びパウタダーエメラルド及びパウダー トパーズなどを組み合わせた熱圧縮加工宝石参考説明図。
【図２２】ロケット製造時の、コロナウイルス対策用の薬説明参考図。
【図２３】ロケット製造基地作成時に発生する土埃を、処理する為の超大型集塵機細菌検査装置の概略構造説明参考図。
【図２４】ロケット製造時の、服に使用擦る圧電素子発電糸内蔵布紐の使い方有り方の参考説明図。
【図２５】ロケット製造時の、の服に使用擦る圧電素子発電糸内蔵布紐布服の使い方有り方の参考説明図。
【図２６】ロケット製造時の、工場のドアの指輪カメラ認証に使う予定の参考説明図。
【図２７】ロケット製造時及び発射基地の海上で、自給自足と経費節約の為の全自動位置帰還台風高波避難型の竹灰入りグラスファイバー中鋼鉄芯入り砂鉄枠再生発砲スチロールゴム及び再生ゴム二重パネル内外にプラスチック穴あきパネル等の船前後二か所の横転防止装置付きの竹灰入りグラスファイバー開閉カバー付きの海水魚介及び淡水魚貝の全自動山岳ヘリコプター餌槍及び全自動循環水養殖船の参考説明図。
【図２８】ロケット製造時及び発射基地での魚の新しい三枚オロシのモーター振動ピアノ線ナイフオロシ及び魚の鱗モーター落とし等の参考説明図。
【図２９】ロケット製造に当たって厚生年金６５歳受け取りが、６８歳に成る恐れの検察庁法改正案定年６８まで可能に成る法改正案を労働組合反対の予測を受けて公明党本部宛への抗議と仕事の改革と生活医療改革変更の提言文書ハガキの参考説明図。
【図３０】ロケット製造から販売及び輸送に辺り、アフリカの万が一のエボラ出血熱に従業員が、罹った場合の最終の患者の同意書有りのエボラ出血熱薬の木の漆を、エボラ出血熱のサンプル血液に投与したエボラ出血熱漆病の血液に対しての漆治療薬としの更生物質に依るエボラ出血熱漆病治療に於いての血清を使い薬で弱まったエボラ菌を殺すエボラ出血熱の治療手段の参考説明図。
【図３１】ロケット製造時及び発射基地の海上で魚の養殖船及び、ロケット製造工場の鋼鉄芯入り砂鉄カバー鋼の竹灰入りガラスパネル電磁石反発免振工場の鋼材の参考説明図。
【図３２】ロケット製造に対して、度の様な事業に使用する建前上に対して著作権登録上他の特許権及び特許文章つまり、新しく事業を行う者つまり、世界で、最初の事業計画者及び事業に対する特殊の技術に介入しているかいないかの特許文章の確認及び特許権文章及び著作権等の確認を得た上での事業登録認可に成り、税金回収に当たっても税金回収不足に依る国民の税負担及び企業への税負担の実施防止策として、特に元々日本国民の国営電話会社の資金を使った携帯会社の本体料金の他国販売の差額等及び、携帯電話設立以来の携帯電話アンテナ鉄塔の建設費及び消耗費及び維持費に対して、国営資産で有った電話会社資産の民営化に及んだ上での、国民の携帯料金請求が相応しいかの、国民アンケート及び、国営資産だった物に対しての税金収集に対しての国民負担及び企業負担に対して、個人資産の今後の、電気自動車等の買い替えに対しての国保負担出来ない、間接税から消費税へ転換してからの、企業資産及び日本特許権及び海外特許権を含めた特許権切れからの著作権料金の発動及び商品の技術料金請求に依る企業個人資産の国の税金回収が、行われているかなど、新しく作る税金回収と国民一人当たりの上限資産を、越えてからの税金回収などを、踏まえた特許番号明示の商品利益の元々国で有った財産処理の不備。これらの事が、インターネット時代での、経済産業省での、電話会社の料金の他国との格差公開及び携帯電話の建設費及び維持費及び経費が、携帯電話本体料金及び通話料金及びインターネット料金請求が、２０２０年度現在に相応しい国民の資産つまり、大都市化すると同時に個人資産の格差を産む、国民が一目で解かる企業の会社の個人特許権者の資産と同じ会社の社員の資産説明の上での家の保証と通勤の車の保証及び子供の人数制限に依る保証及び医療保障までが、現在の、国営会社無しの現実と企業会社本位の税金回収の国の在り方最高裁の判断の現在の格差を、埋める為の、国会議員の努力として、特許権切れ以降の著作権の技術請求額の有り方を、国が決める事が出来る理由及び、国の借金及び地方の借金プラスマイナスゼロまで、海外持ち出し資産の株資産に対して、他国と協議及び、国連決議等での、全世界各国の借金返済に充てる為の株利益国際回収税などを、取り決める事で、今まで、国会議員が悩み抜いた事実に対する一つの考え方の第一歩の踏み出しの為の参考説明ハガキ図。
【発明を実施するための形態】
【００６４】
図１の、１の、回転追加加速型ロボット電波望遠鏡ロケットは、先端に１０の、電波望遠鏡高速送受信装置は、１１の、炭素抜き収束レンズと１２の、炭素抜き対物レンズと１３の、炭素抜き投影レンズと１４の、合成ジエリアクリル光電子色認識装置パネルと１５の、ロボットロケット合成ジエリアクリル光電子画像宇宙電波中継発射装置が取り付く構造に成る。
更に、８の、液体軽水素化合物水素タンクは、２の、第一液体軽水素入り水素流動放出加速装置と３の、第一液体酸素流動放出加速装置と４の、第二液体軽水素入り水素流動放出加速装置と５の、第二液体酸素流動放出加速装置６の、第三液体軽水素入り水素流動放出加速装置が取り付き、９の、液体酸素タンクには、７の、第三液体酸素流動放出加速装置が取り付く構造の１の、回転追加加速型ロボット電波望遠鏡ロケットの構造説明。
【００６５】
図２の、１の、回転追加加速型ロボット電波望遠鏡ロケットは、９の、液体酸素タンクに対して１６の、軽量アルミニウム外壁構造の２２の、低温酸素一度温度センサーを底に取り付け、２３の、圧電素子配線液体酸素タンク内壁に対して、２４の、プラス弱スクリュー圧電素子配線液体酸素タンク内壁電気配線と２５の、マイナス弱スクリュー圧電素子配線液体酸素タンク内壁電気配線と２６の、スクリュー圧電素子配線液体酸素タンク内壁構造の９の、液体酸素タンク構造説明。
更に、８の、液体軽水素化合物水素タンクに対して、１６の、軽量アルミニウム外壁構造の１７の、重水素入り圧電素子配線水素タンク内壁構造の１８の、スクリュー重水素入り圧電素子配線水素タンク内壁に対して、１９の、プラス弱スクリュー重水素入り圧電素子配線水素タンク内壁電気配線と２０の、マイナス弱スクリュー重水素入り圧電素子配線水素タンク内壁電気配線と２１の、低温水素一度温度センサーをタンク底に取り付けた構造説明。
【００６６】
図３の、１の、回転追加加速型ロボット電波望遠鏡ロケットは、２の、第一液体軽水素入り水素流動放出加速装置と３の、第一液体酸素流動放出加速装置の一つのタンク燃料ロケットと４の、第二液体軽水素入り水素流動放出加速装置と５の、第二液体酸素流動放出加速装置の二番目のタンク燃料ロケットと６の、第三液体軽水素入り水素流動放出加速装置と７の、第三液体酸素流動放出加速装置の三番目のタンク燃料ロケットに成り、８の、液体軽水素化合物水素タンクと９の、液体酸素タンクと２８の、風切羽根装置に成り、カメラと温度計と赤外線カメラと紫外線カメラと放射線測定装置とデータ送受信装置と発電回路と超小型充電池と宇宙位置確認認識と自動修正装置等を積載した１の、回転追加加速型ロボット電波望遠鏡ロケット説明。
【００６７】
図４の、１の、回転追加加速型ロボット電波望遠鏡ロケットは、２の、第一液体軽水素入り水素流動放出加速装置と３の、第一液体酸素流動放出加速装置の一つのタンク燃料ロケットと４の、第二液体軽水素入り水素流動放出加速装置と５の、第二液体酸素流動放出加速装置の二番目のタンク燃料ロケットと６の、第三液体軽水素入り水素流動放出加速装置と７の、第三液体酸素流動放出加速装置の三番目のタンク燃料ロケットに成り、３０の、窒素化合重水素を３１の、高出力圧電素子六角形状発電回路レールモーターの３２の、加速モーター板パネルを回転させて、液体水素流動放出加速と液体酸素流動放出加速を行いロケットエンジンの水素点火後に、水素タンクの３３の、高出力電動モーター仕切り弁二ヶ所と９の、液体酸素タンクの３３の、高出力電動モーター仕切り弁二ヶ所を作動させて、完全にタンク内の水素と酸素をフル遠心回転させて、３４の、加速スクリュー配管を通じて、エンジン点火後の完全燃焼追加水素と酸素燃焼の大気圏外に素早く出る為の１の、回転追加加速型ロボット電波望遠鏡ロケット説明。
【００６８】
図５の、１の、回転追加加速型ロボット電波望遠鏡ロケットは、８の、液体軽水素化合物水素タンクと９の、液体酸素タンクに対して、３４の、加速スクリュー配管と３５の、流量調整電動仕切り弁と３６の、スクリュー羽根巻き込み型液体軽水素入り水素液体酸素タンクポンプが有り、８の、液体軽水素化合物水素タンクと９の、液体酸素タンクから成り、３７の、液体軽水素入り水素酸素合流室に於いて、３９の、モーターカートリッジ着火装置に依って、点火が行われ３８の、噴射口へエネルギーが流れる構造の１の、回転追加加速型ロボット電波望遠鏡ロケット説明。
【００６９】
図６の、１の、回転追加加速型ロボット電波望遠鏡ロケットは、３１の、液体水素と液体酸素に於いての高出力圧電素子六角形状発電回路レールモーターは、３６の、スクリュー羽根巻き込み型液体軽水素入り水素液体酸素タンクポンプに付く４０の、掻き込み羽根に依って、８の、液体軽水素入り水素化合物水素タンク水素と９の、液体酸素タンク酸素は、３４の、加速スクリュー配管に依って、加速した８の、液体軽水素入り水素化合物水素タンク水素と９の、液体酸素タンク酸素が３７の、液体水素酸素合流室へ高速移動させる１の、回転追加加速型ロボット電波望遠鏡ロケットエンジンの説明。
【００７０】
図７の、１の、回転追加加速型ロボット電波望遠鏡ロケットは、４２の、軽水素入り水素と液体酸素タンク本体に対して、電動仕切り弁に依る４１の、流量調整口と３１の、高出力圧電素子六角形状発電回路レールモーターから成る１の、回転追加加速型ロボット電波望遠鏡ロケットの説明。
【００７１】
図８の、１の、回転追加加速型ロボット電波望遠鏡ロケットは、３９の、モーターカートリッジ着火装置は４３の、スクリューモーターに依って移動して４６の、白樺の乾燥表皮の粉油紙の粉ガソリン灯油混合剤に対して、４４の、高電圧変換装置と４５の、ＬＰガス細管入り二重ニクロム線に依って、３９の、モーターカートリッジ着火して、３８の、噴射口へ液体酸素と軽水素入り水素の燃焼加速エネルギーが放出出来る１の、回転追加加速型ロボット電波望遠鏡ロケットの説明。
【００７２】
図９の、１の、回転追加加速型ロボット電波望遠鏡ロケットの回路基板は、４９の、炭素抜きガラス板と４７の、ガラス板合わせ回路基板と４８の、切ガラス板合わせ回路配線部分に溶解レアーアース配線を流し込んだ０，００３ミリメートル幅の回路配線基板を積載した１の、回転追加加速型ロボット電波望遠鏡ロケットの説明。
【００７３】
図１０の、１の、回転追加加速型ロボット電波望遠鏡ロケットの、５０の、高速低周波軽水素入り水切りクラゲアクリルチタン酸バリウム撹拌多層シート映像データストックボックスは、５５の、データ入力再生回路配線を取り付けた４９の、炭素抜きガラス微粒子と５１の、水洗いクラゲ撹拌物質と５２の、チタン酸バリウムと５３の、竹灰入りグラスファイバーと５４の、合成材の化合粒子データ入力再生配線を取り付けた５０の、高速低周波軽水素入り水切りクラゲアクリルチタン酸バリウム撹拌多層シート映像データストックボックス積載の１の、回転追加加速型ロボット電波望遠鏡ロケットの説明。
【００７４】
図１１の、１の、回転追加加速型ロボット電波望遠鏡ロケットの、６５の、ロケット第一エンジンは５７の、液体酸素タンク燃料ポンプ酸素と５８の、水素タンク燃料ポンプ水素を３１の、高出力圧電素子六角形状発電回路レールモーター取り付けの５９の、液体酸素タンク内スクリュー撹拌板と６０の、軽水素入り水素タンク内スクリュー撹拌板に依って、３４の、加速スクリュー配管と３５の、流量調整電動仕切り弁に依って、６４の、二又軽水素入り水素誘導管を経て、６１の、高出力マグネトロン点火装置に依って水素点火を行い６２の、火力誘導管を経て６３の、酸素スクリュー管噴出し口の軽水素入り水素と酸素の加速燃焼を行い切る事で、６５の、ロケット第一エンジンの５６の、宇宙ロケット電波望遠鏡ロボット高出力圧電素子六角形状発電回路レールモータータンク切り離し装置 に依って、１の、回転追加加速型ロボット電波望遠鏡ロケットの６５の、ロケット第一エンジンの切り離しが出来る構造の１の、回転追加加速型ロボット電波望遠鏡ロケットの説明。
【００７５】
図１２の、１の、回転追加加速型ロボット電波望遠鏡ロケットの、北海道知事宛てに提出した２０１９年 ５月３０日ＰＭ１４時考案の回転追加加速型ロボット電波望遠鏡ロケットのハガキ原本図の証拠の写し図説明。
【００７６】
図１３の、１の、回転追加加速型ロボット電波望遠鏡ロケットの、北海道知事宛てに提出した２０１９年６月１９日ＰＭ２３時５７分美馬牛にて考案作品のマイナス１０００度でも、作動可能なＣＣＤの参考説明図。
【００７７】
図１４は、北海道知事充ての太陽系を抜け出て遥か彼方の星々を映し続ける電波望遠鏡中継放送システムに対しての参考説明図。
【００７８】
図１５の、北海道知事充ての太陽系を抜け出て遥か彼方の星々を映し続ける電波望遠鏡中継放送システムに対しての参考説明図。
【００７９】
図１６の、北海道知事充ての太陽系を抜け出て遥か彼方の星々を映し続ける電波望遠鏡中継放送システムに対しての参考説明図。
【００８０】
、
図１７の、北海道知事充ての太陽系を抜け出て遥か彼方の星々を映し続ける電波望遠鏡中継放送システムに対しての参考説明図。
【００８１】
図１８の、北海道知事充ての太陽系を抜け出て遥か彼方の星々を映し続ける電波望遠鏡中継放送システムに対しての参考説明図。
【００８２】
図１９の、北海道知事充ての太陽系を抜け出て遥か彼方の星々を映し続ける電波望遠鏡中継放送システムに対しての参考説明図。
【００８３】
図２０の、北海道知事充ての太陽系を抜け出て遥か彼方の星々を映し続ける電波望遠鏡中継放送システムに対しての参考説明図。
【００８４】
図２１の、北海道知事充ての太陽系を抜け出て遥か彼方の星々を映し続ける電波望遠鏡中継放送システムに対しての参考説明図。
【００８５】
図２２の、北海道知事充ての太陽系を抜け出て遥か彼方の星々を映し続ける電波望遠鏡中継放送システムに対しての参考説明図。
【００８６】
図２３の、北海道知事充ての太陽系を抜け出て遥か彼方の星々を映し続ける電波望遠鏡中継放送システムに対しての参考説明図。
【００８７】
図２４の、北海道知事充ての太陽系を抜け出て遥か彼方の星々を映し続ける電波望遠鏡中継放送システムに対しての参考説明図。
【００８８】
図２５の、北海道知事充ての太陽系を抜け出て遥か彼方の星々を映し続ける電波望遠鏡中継放送システムに対しての参考説明図。
【００８９】
図２６の、北海道知事充ての太陽系を抜け出て遥か彼方の星々を映し続ける電波望遠鏡中継放送システムに対しての参考説明図。
【００９０】
図２７の、北海道知事充ての太陽系を抜け出て遥か彼方の星々を映し続ける電波望遠鏡中継放送システムに対しての参考説明図。
【００９１】
図２８の、北海道知事充ての太陽系を抜け出て遥か彼方の星々を映し続ける電波望遠鏡中継放送システムに対しての参考説明図。
【００９２】
図２９の、公明党本部充ての太陽系を抜け出て遥か彼方の星々を映し続ける電波望遠鏡中継放送システムに対しての労働組合の意見書の参考説明図。
【００９３】
図３０の、北海道知事充ての太陽系を抜け出て遥か彼方の星々を映し続ける電波望遠鏡中継放送システムに対しての参考説明図。
【００９４】
図３１の、立憲民主党充ての太陽系を抜け出て遥か彼方の星々を映し続ける電波望遠鏡中継放送システムに対しての労働組合の意見書の参考公開説明図。
【００９５】
図３２の、国民民主党充ての太陽系を抜け出て遥か彼方の星々を映し続ける電波望遠鏡中継放送システムに対しての労働組合の意見書の参考公開説明図。
【符号の説明】
【００９６】
１     回転追加加速型ロボット電波望遠鏡ロケット
２     第一液体軽水素入り水素流動放出加速装置
３     第一液体酸素流動放出加速装置
４     第二液体軽水素入り水素流動放出加速装置
５     第二液体酸素流動放出加速装置
６     第三液体軽水素入り水素流動放出加速装置
７     第三液体酸素流動放出加速装置
８     液体軽水素化合物水素タンク
９     液体酸素タンク
１０   電波望遠鏡高速送受信装置
１１   炭素抜き収束レンズ
１２   炭素抜き対物レンズ
１３   炭素抜き投影レンズ
１４   合成ジエリアクリル光電子色認識装置パネル
１５   ロボットロケット合成ジエリアクリル光電子画像宇宙電波中継発射装置
１６   軽量アルミニウム外壁
１７   重水素入り圧電素子配線水素タンク内壁                                                  
１８   スクリュー重水素入り圧電素子配線水素タンク内壁
１９   プラス弱スクリュー重水素入り圧電素子配線水素タンク内壁電気配線
２０   マイナス弱スクリュー重水素入り圧電素子配線水素タンク内壁電気配線
２１   低温水素一度温度センサー
２２   低温酸素一度温度センサー
２３   圧電素子配線液体酸素タンク内壁
２４   プラス弱スクリュー圧電素子配線液体酸素タンク内壁電気配線
２５   マイナス弱スクリュー圧電素子配線液体酸素タンク内壁電気配線
２６   スクリュー圧電素子配線液体酸素タンク内壁
２７   高出力自動充電池
２８   風切羽根装置
２９   液体酸素タンク及び液体軽水素入り水素タンク
３０   窒素化合重水素
３１   高出力圧電素子六角形状発電回路レールモーター
３２   加速モーター板パネル
３３   高出力電動モーター仕切り弁二ヶ所
３４   加速スクリュー配管
３５   流量調整電動仕切り弁
３６   スクリュー羽根巻き込み型液体水素液体酸素タンクポンプ
３７   液体水素酸素合流室
３８   噴射口
３９   モーターカートリッジ着火装置
４０   掻き込み羽根
４１   流量調整口
４２   水素と液体酸素タンク本体
４３   スクリューモーター
４４   高電圧変換装置
４５   ＬＰガス細管入り二重ニクロム線
４６   白樺の乾燥表皮の粉油紙の粉ガソリン灯油混合剤
４７   ガラス板合わせ回路基板
４８   切ガラス板合わせ回路配線部分
４９   炭素抜きガラス微粒子
５０   高速低周波軽水素入り水切りクラゲアクリルチタン酸バリウム撹拌多層シート映像データストックボックス
５１   水洗いクラゲ撹拌物質
５２   チタン酸バリウム
５３   竹灰入りグラスファイバー
５４   合成材
５５   データ入力再生回路配線
５６   宇宙ロケット電波望遠鏡ロボット高出力圧電素子六角形状発電回路レールモータータンク切り離し装置
５７   液体酸素タンク燃料ポンプ
５８   軽水素入り水素タンク燃料ポンプ
５９   液体酸素タンク内スクリュー撹拌板
６０   液体軽水素入り水素タンク内スクリュー撹拌板
６１   高出力マグネトロン点火装置
６２   火力誘導管
６３   酸素スクリュー管噴出し口
６４   二又水素誘導管
６５   ロケット第一エンジン
【図１】
2020189630.tif 000003
【図２】
2020189630.tif 000004
【図３】
2020189630.tif 000005
【図４】
2020189630.tif 000006
【図５】
2020189630.tif 000007
【図６】
2020189630.tif 000008
【図７】
2020189630.tif 000009
【図８】
2020189630.tif 000010
【図９】
2020189630.tif 000011
【図１０】
2020189630.tif 000012
【図１１】
2020189630.tif 000013
【図１２】
2020189630.tif 000014
【図１３】
2020189630.tif 000015
【図１４】
2020189630.tif 000016
【図１５】
2020189630.tif 000017
【図１６】
2020189630.tif 000018
【図１７】
2020189630.tif 000019
【図１８】
2020189630.tif 000020
【図１９】
2020189630.tif 000021
【図２０】
2020189630.tif 000022
【図２１】
2020189630.tif 000023
【図２２】
2020189630.tif 000024
【図２３】
2020189630.tif 000025
【図２４】
2020189630.tif 000026
【図２５】
2020189630.tif 000027
【図２６】
2020189630.tif 000028
【図２７】
2020189630.tif 000029
【図２８】
2020189630.tif 000030
【図２９】
2020189630.tif 000031
【図３０】
2020189630.tif 000032
【図３１】
2020189630.tif 000033
【図３２】
2020189630.tif 000034